(57)【要約】【課題】  螺鈿のような伝統的技法による光輝性の発現に劣らない、複雑、繊細で品格のある七色の輝きを発する装飾箸Ｓを提供するものであり、しかもそれを加工が簡便な手段で実現する。【解決手段】  箸１と、該箸１の表面に貼着された光輝性フィルム３と、該光輝性フィルム３を被覆する熱収縮性チューブ状フィルム４と、該熱収縮性チューブ状フィルム４を被覆する透明層５とからなる装飾箸Ｓ。また、合成塗料を塗布して色付け部を形成した箸１の表面に、光輝性フィルム３を貼着し、該光輝性フィルム３を熱収縮性チューブ状フィルム４によって被覆、固定することで色付け部２の色と光輝性フィルム３の輝きをミックスさせて七色の輝きを発する装飾箸Ｓを得る。【選択図】図１
0003177015.tif 000002
【実用新案登録請求の範囲】
【請求項１】
箸と、該箸の表面に貼着された光輝性フィルムと、該光輝性フィルムを圧縮して被覆する熱収縮性チューブ状フィルムと、該熱収縮性チューブ状フィルムを被覆する透明層とからなることを特徴とする装飾箸。
【請求項２】
光輝性フィルムが、巻回されて貼着されていることを特徴とする請求項１記載の装飾箸。
【請求項３】
光輝性フィルムが細片にカットされて貼着されていることを特徴とする請求項２記載の装飾箸。
【請求項４】
箸の少なくとも光輝性フィルムが貼着された部分に色付け部を有していることを特徴とする請求項２記載の装飾箸。
【請求項５】
光輝性フィルムが穴部を有していることを特徴とする請求項２又は４記載の装飾箸。
【請求項６】
光輝性フィルムが、複数の薄膜で形成され、互いに隣接する薄膜が透光性を有すると共に、それぞれ屈折率が異なる、異素材、又は結晶化度の異なる同系素材でなる多重ポリマーフィルムであることを特徴とする請求項２記載の装飾箸。
【請求項７】
光輝性フィルムがエンボス加工されていることを特徴とする請求項２記載の装飾箸。
【請求項８】
光輝性フィルムが透過性を有していることを特徴とする請求項２記載の装飾箸。
【請求項９】
光輝性フィルムの厚みが５〜６０ミクロンであることを特徴とする請求項２記載の装飾箸。
【請求項１０】
箸の少なくとも把持部に凹部を有していることを特徴とする請求項２記載の装飾箸。
【考案の詳細な説明】
【技術分野】
【０００１】
本考案は、表面に装飾が施された食事用の箸に関する。
詳しくは、フィルムを多層に用いて、簡易で独特の高級感を醸し出した装飾箸に関する。
【背景技術】
【０００２】
食事用の箸は、木、竹、プラスチック等を素材として箸形状に形成され、割り箸などの使い捨て製品は別として、これに塗装や模様付けなどの装飾を施して完成品となる。
塗装や模様付けには多様な手段が用いられ、例えば、漆、合成塗料等を塗布したり、更には貝殻や金属箔等を用いてデザインの多様化や高級化を図っている。
【０００３】
これらの装飾については、伝統的な従来の漆や塗料による色付け、模様付けの他、多くの手段が提案され製品化されている。
例えば、特許文献１に見られるように模様や文字等を印刷した転写紙を箸に巻き付け、箸表面に模様等を転写印刷する手段がある。
また、特許文献２に示されるように、模様等を印刷した熱収縮性チューブ状フィルムを箸表面に熱固定する手段が提案されている。
【０００４】
特に、上記熱収縮性チューブ状フィルムを使用した手段に関しては多くの実用的手段が提案されている。
例えば、特許文献３に示すように、切り目を入れた熱収縮性チューブ状フィルムを塗装を施した箸に外挿し、これを熱処理することにより切り目が拡張した状態で固定され、熱収縮性チューブ状フィルムの模様と拡張した切り目から表出する箸の表面塗装とが新たなデザインを創出する手段がある。
【０００５】
そして、特許文献４に見られるように、色、模様の異なる熱収縮性チューブ状フィルムを何層にも重ね合わせてこれを熱固定し、デザインを創出する手段がある。
更には、特許文献５に示されるように、箸に模様布を巻付け、これを熱収縮性チューブ状フィルムで固定して、模様布のデザインを表現する手段等がある。
【０００６】
このように熱収縮性チューブ状フィルムを使用する手段は、簡便でありながら多様な装飾効果が得られ、消費者からも箸を製造、販売する立場からも受け入れられている。
上記示したように箸の装飾に関しては、伝統的技法に加えて多くの技法が開発され製品化されてきた。
ところで、箸の伝統的装飾において、ステータスとも言うべき大きな柱になっている分野がある。
それは日本古来の装飾技法である螺鈿や蒔絵、更には金糸、銀糸を使った錦織等に見られる独特の輝きを施すものがある。
これらの輝きは、自然界では、玉虫の羽の色やオパールの輝き、更にはオーロラの輝きに見られる。
【０００７】
螺鈿の場合は、例えば青貝に見られるように、その内側の真珠層が七色の輝きを放つ。
この輝きと漆の光沢が品格のある高級感を醸し出し、古来愛されてきたのである。
同様に蒔絵や錦織においても金粉や金糸等を駆使して漆物や織物に独特の輝きをもたらしている。
これらの表面は、光の反射方向によって多様に変化する光輝性を有するのである。
【０００８】
この光輝性について、箸への簡便な付与技術研究が長年に渡って行われてきた。
例えば、上記特許文献５に見られるように箸に織物を巻き付け、これを熱収縮性チューブ状フィルムで被覆する手段がある。
【０００９】
この手段においては、巻き付ける織物に錦織を使用することによって金糸、銀糸による光輝性の発現を示現し、製品化されている。
しかし、この手段においても、一定の光輝性は得ているものの螺鈿に見られる真珠の輝きのような複雑で繊細な光輝性を得るまでには至っていない。
【００１０】
加えて、織物には厚みと剛性があり、例えば、箸表面に付与された微妙な凹凸の表現が困難な点や、巻き付ける際の織物の端同士の重なりを防ぐ必要があるなどの製造上の面倒がある。
このように従来の箸において、光輝性を付与することに関しては、螺鈿や蒔絵のような伝統的技法による光輝性の発現を超える有効な簡便手段は存在しなかった。
【先行技術文献】
【特許文献】
【００１１】
【特許文献１】特開２００８−２２１４８０号公報
【特許文献２】実開昭４９−３２２７６号公報
【特許文献３】特開２０１２−５５４９号公報
【特許文献４】特開２０１２−２９７４９号公報
【特許文献５】特開２００８−２６６９９３号公報
【考案の概要】
【考案が解決しようとする課題】
【００１２】
本考案は、以上の事情を背景になされたものである。
すなわち、本考案の目的は、螺鈿のような伝統的技法による光輝性の発現に劣らない、複雑、繊細で品格のある七色の輝きを発する装飾箸を提供するところにあり、しかも、それを加工が簡便で耐久性のある熱収縮性チューブ状フィルムを用いて実現するところにある。
【課題を解決するための手段】
【００１３】
上記課題を解決するために、鋭意、研究した結果、漆や塗料を塗布して色付け部を形成した箸の表面に薄手で透光性を有する光輝性フィルムを貼着し、該光輝性フィルムを熱収縮性チューブ状フィルムによって被覆、固定することで色付け部の色と光輝性フィルムの輝きをミックスさせて七色の輝きを発する装飾箸Ｓを得るものである。
【００１４】
即ち、本考案は、（１）、箸と、該箸の表面に貼着された光輝性フィルムと、該光輝性フィルムを圧縮して被覆する熱収縮性チューブ状フィルムと、該熱収縮性チューブ状フィルムを被覆する透明層とからなる装飾箸に存する。
【００１５】
即ち、本考案は、（２）、光輝性フィルムが、巻回されて貼着されている上記（１）記載の装飾箸に存する。
【００１６】
即ち、本考案は、（３）、光輝性フィルムが細片にカットされて貼着されている上記（２）記載の装飾箸に存する。
【００１７】
即ち、本考案は、（４）、箸の少なくとも光輝性フィルムが貼着された部分に色付け部を有している上記（２）記載の装飾箸に存する。
【００１８】
即ち、本考案は、（５）、光輝性フィルムが穴部を有している上記（２）又は（４）記載の装飾箸に存する。
【００１９】
即ち、本考案は、（６）、光輝性フィルムが、複数の薄膜で形成され、互いに隣接する薄膜が透光性を有すると共に、それぞれ屈折率が異なる、異素材、又は結晶化度の異なる同系素材でなる多重ポリマーフィルムである上記（２）記載の装飾箸に存する。
【００２０】
即ち、本考案は、（７）、光輝性フィルムがエンボス加工されている上記（２）記載の装飾箸に存する。
【００２１】
即ち、本考案は、（８）、光輝性フィルムが透過性を有している上記（２）記載の装飾箸に存する。
【００２２】
即ち、本考案は、（９）、光輝性フィルムの厚みが５〜６０ミクロンである上記（２）記載の装飾箸に存する。
【００２３】
即ち、本考案は、（１０）、箸の少なくとも把持部に凹部を有している上記（２）記載の装飾箸に存する。
【００２４】
なお、本考案の目的に沿ったものであれば上記（１）〜（１０）を適宜組み合わせた構成も採用可能である。
【考案の効果】
【００２５】
本発明の装飾箸は、箸と、該箸の表面に貼着された光輝性フィルムと、該光輝性フィルムを圧縮して被覆する熱収縮性チューブ状フィルムと、該熱収縮性チューブ状フィルムを被覆する透明層とからなるので、光輝性フィルムは、熱収縮性チューブ状フィルムの収縮により箸表面に固定される。
光輝性フィルムが巻回されていると、熱収縮性チューブ状フィルムにより圧縮を受けても光輝性フィルムの重なった端部同士が滑ることにより光輝性フィルムの弛みや皺を解消することができる。
そして透明層を通じて光輝性フィルムの特徴である光の干渉や反射効果で玉虫色、オーロラ、オパール等の輝きを発揮することができる。
【００２６】
また装飾する箸の少なくとも光輝性フィルムを貼着、又は巻回する部分が色付けされている場合には、光輝性フィルムが透過性を有しているので箸の色が光輝性フィルムを透過して光輝性フィルムが発する輝きとミックスする。
このことにより箸の色付けの具合で光輝性フィルムの輝きの色調をコントロールすることができ、鮮やかで品格のある従来に全くなかった色調を得ることができる。
【００２７】
そして、光輝性フィルムが５〜６０ミクロンの薄手である場合には、これを箸表面に貼着、又は巻回する際、その端部同士が重なり合っても厚みの増加が微少であるので、箸を持った感触においても視覚的にも目立つことがなく、あたかも装飾箸１の表面に直接、彩色を施したように見える。
しかも、前述したように、光輝性フィルムは巻回されているので、熱収縮性チューブ状フィルムにより圧縮を受けても光輝性フィルムの重なった端部同士が滑ることにより光輝性フィルムの弛みや皺を解消することができる。
また、箸が凹部を有している場合においても、光輝性フィルムが薄手であり、加熱処理による熱収縮性チューブ状フィルムの収縮力により光輝性フィルムが箸の把持部に形成された凹部に隙間なく密着し、仕上げ外観が極めて良くなる利点がある。
【００２８】
そして、熱収縮性チューブ状フィルムが外挿された部分が透明の塗料で仕上げ塗装されて形成される透明層で被覆されている場合には、使用の際や洗う際に熱収縮性チューブ状フィルムの箸から水等が浸入することがなく、充分な耐久性を得ることができる。
【図面の簡単な説明】
【００２９】
【図１】図１は、装飾箸の実体説明図（一部省略）である。
【図２】図２は、箸に順次外側に向かって色付け部、光輝性フィルム、熱収縮性チューブ状フィルム、透明層が施された装飾箸の断面説明図である。
【図３】図３は、把持部域に、切削により形成された凹部を有している装飾箸の実体説明図（一部省略）である。
【図４】図４は、把持部域に短冊形にカットした光輝性フィルムを貼付した装飾箸の実体説明図（一部省略）である。
【図５】図５は、不定形状にカットした光輝性フィルムを貼付した装飾箸の実体説明図（一部省略）である。
【図６】図６は、エンボス加工を施した光輝性フィルムを誇張して示す断面説明図（一部省略）である。
【図７】図７は、円形の穴部を有する光輝性フィルムを用いた装飾箸の実体説明図（一部省略）である。
【考案を実施するための形態】
【００３０】
以下、本考案を実施するための最良の形態について図面を用いて説明する。
【００３１】
（第１の実施の形態）
本実施の形態における装飾箸Ｓは、図１の実体説明図に示すように、断面が四角形の箸１の把持部１１域に赤色系の合成塗料が塗布され色付け部２が形成されていて、把持部１１域に、例えば、１５ミクロン）で透光性を有する光輝性フィルム３が巻回し貼着されている。ここで、光輝性フィルム３の厚さとしては、５ミクロン〜６０ミクロンの厚さのものが好ましく採用される。
図２の断面説明図に示すように、光輝性フィルム３の縦方向の両端部３１、３２は、一定幅の重ね部３３を形成して重ねて貼着されていて確実に箸１の表面を被覆している。
両端部３１、３２が重なり合っていても光輝性フィルム３が薄く重ね部３３の厚みは微少であり、装飾箸Ｓを持った感触においても視覚的にも全く目立たず、あたかも箸１の表面に塗装により直接、彩色を施した外観を呈す。
【００３２】
そして、透明な熱収縮性チューブ状フィルム４が外挿、熱固定され、光輝性フィルム３を被覆、固定している。ここで熱収縮性チューブ状フィルム４としては、光輝性フィルム３よりやや厚いものが好ましい。
前述したように、光輝性フィルムは巻回されて端部同士が重なっているので、熱収縮性チューブ状フィルムにより圧縮を受けると、弛みが扱かれて端部同士の重なり部分の滑りで解消される。
更に透明の塗料が熱固定された熱収縮性チューブ状フィルム４上に塗られていて透明層５を形成している。赤色系の合成塗料、透明の塗料共にポリエステル系樹脂を使用している。
【００３３】
装飾箸１に、有色（例えば赤色）の合成塗料が塗布されているので、この色が透光性を有する光輝性フィルム３を透過して、光輝性フィルム３が光の干渉で発するオーロラに似た輝きにミックスされ、この場合、赤色系調の七色の光が発現される。
このように、装飾箸１に塗布される色によって光輝性フィルム３の色調を制御することができる。
【００３４】
光輝性フィルム３としては多重ポリマーフィルムを使用している。
この多重ポリマーフィルムは、複数（数層から数十層）の薄膜で形成されていて、互いに隣接する薄膜は異なる素材、または同素材であっても配向度や結晶化度が異なる。
いずれもそれぞれの屈折率が異なり光の干渉を生じる。このように多数の薄膜で形成されることから極めて複雑な光の干渉を生じ言い難い光を発する効果が得られる。
薄膜の素材としては、ポリエチレン系、アクリル系、ポリプロピレン系などがあり、いずれも透光性を有する。
光輝性フィルム３は、オーロラフィルム（商品名）もその一つである。
また、熱収縮性チューブ状フィルム４には、ポリエチレンテレフタレート系を使用し、高い熱収縮性を得ている。
【００３５】
（第２の実施の形態）
本実施の形態では、図３の実体説明図（一部省略）に示すように、装飾箸１は、その把持部１１域の一部を切削して形成される凹部１２を有していて、これに第１の実施の形態と同様に光輝性フィルム３、並びに熱収縮性チューブ状フィルム４、透明層５が施されている。こうして得られた装飾箸Ｓは、把持した際に凹部１２により滑りが防止され、使用に便利であると共に、デザイン上の効果も得られる。
【００３６】
箸１に巻回されている光輝性フィルム３は、薄手のフィルムであり、熱収縮性チューブ状フィルム４の収縮力により箸１の表面に押圧されて、凹部１２に隙間なく密着して固定され、凹部１２の凹みが確実に確保される。
本実施の形態では箸１の一部を切削して凹部１２を形成しているが、箸１の表面より凸状に盛り上げた形状であっても使用の際の滑りを防止できるし、デザイン上の効果も得られる。
例えば、糸状、紐状のものを巻き付けることで凸状に盛り上げることができる。
凹部１２を形成したものと略同様の効果を得ることができる。
その他の構成については、第１の実施の形態と同様である。
【００３７】
（第３の実施の形態）
本実施の形態では、図４の実体説明図（一部省略）に示すように光輝性フィルム３を短冊形の細片にカットしたものを使用している。
短冊形にカットされた光輝性フィルム３の配置は自在であるが、本実施の形態では市松様に配置している。
細片形状とその配置については、例えば、図５の実体説明図（一部省略）に示すように、細片形状を小さなランダムな不定形状にして、これを貼着（一部に重ね貼りを施し、重ね部３３を有する）することで一層変化に富んだ彩色効果が得られ、あたかも螺鈿の色調を呈することができる。
【００３８】
また、本実施の形態の光輝性フィルム３には細かなエンボス加工（型押し加工）を施したものを使用している。
図６の誇張した断面説明図に示すように、エンボス加工により光輝性フィルム３は、部分的に薄地部３４が形成されて厚みが異なることとなり、一層複雑な光の干渉、反射を生じ、変化に富んだ七色の輝きをもたらす。
なお、この場合、アルミ蒸着フィルムを積層することも可能である。
このエンボス加工には、片面加工と両面加工のものがあり、いずれも採用可能である。
他の構成は、第１の実施の形態と同様である。
【００３９】
（第４の実施の形態）
本実施の形態では、図７の実体説明図（一部省略）に示すように、円形の穴部３５を有する光輝性フィルム３を用いている。
穴部３５からは箸１に施された色付け部（例えば、紫色）が垣間見られる。
光輝性フィルム３の輝きと色付け部の紫色とのコントラストにより大きなデザイン効果を得ている。光輝性フィルム３の穴部３５の形、大きさ、配置は自在である。
その他の構成は、第１の実施の形態と同様である。
【００４０】
以上、本考案を説明してきたが、本考案はその本質に変更のない限り、実施の形態のみに限定されるものではなく多様な変形例が可能である。
例えば、箸１の外観形状や断面形状は自在である。
断面形状が円形や多角形で有っても当然良い。
そして、光輝性フィルム３の大きさやその配置については、必ずしも使用する一対の装飾箸Ｓが左右同一である必要はなく異なっていても良い。
更に、光輝性フィルム３をリボン状にカットしこれを箸１に巻回し貼着することなども当然良い。
また、熱収縮性チューブ状フィルム４についても透明で有る必要はなく、透光性を有していて有色のものであっても当然良い。
【産業上の利用可能性】
【００４１】
本考案は、漆や塗料を塗布して色付け部を形成した箸の表面に薄手で透光性を有する光輝性フィルムを貼着し、該光輝性フィルムを熱収縮性チューブ状フィルムによって被覆、固定することで色付け部の色と光輝性フィルムの輝きをミックスさせて七色の輝きを発する装飾箸Ｓを得るものである。
飾りを必要とする部分、例えば、取手や、傘、杖、物干し棹等の生活用品などにも採用可能であるし、ゴルフセットや釣り竿等のスポーツ関連製品、或いは階段の手すり等のような建築用部材にも十分採用可能である。
【符号の説明】
【００４２】
１・・・箸
１１・・・把持部
１２・・・凹部
２・・・色付け部
３・・・光輝性フィルム
３１、３２・・・光輝性フィルムの縦方向の両端部
３３・・・重ね部
３４・・・薄地部
３５・・・穴部
４・・・熱収縮性チューブ状フィルム
５・・・透明層
Ｓ・・・装飾箸
【図１】
0003177015.tif 000003
【図２】
0003177015.tif 000004
【図３】
0003177015.tif 000005
【図４】
0003177015.tif 000006
【図５】
0003177015.tif 000007
【図６】
0003177015.tif 000008
【図７】
0003177015.tif 000009